(57)【要約】【課題】車両ビデオ監視制御装置の提供。【解決手段】一種の車両ビデオ監視制御装置、主に、車体外部に延ばした適切場所に一つまたは以上のビデオカメラを設け、ビデオカメラより捕捉した映像をデジタルユニットにより、解像処理後の画像を車内のモニターディスプレイに表示させる。そのうち、該デジタル処理ユニットはさらに、動的オブジェクト追跡ユニットを設け、捕捉した映像に移動体を存在するとき、該物体の外縁にフレーム状標識をつけるほか、該物体に追随移動し、運転者の注意の喚起目的を実現する。該ビデオカメラは車両両側のバックミラー内部の縁または車体の前・後端部に設けて、３６０度全方位の監視制御を実現することにより、車両の走行安全を向上する。【選択図】図１
0003125259.tif 000002
【実用新案登録請求の範囲】
【請求項１】
ビデオカメラ、デジタル映像処理ユニット、モニターディスプレイを具え、
ビデオカメラを車体外部に延ばした適切場所に設け、車体の周辺および前・後部の映像捕捉に備え、
デジタル映像処理ユニットは前記のビデオカメラに接続し、解像ユニットにより３６０度の捕捉映像を解像処理した上、平面映像をモニターディスプレイに表示させ、動的オブジェクト追跡ユニットを設け、
モニターディスプレイをデジタル映像処理ユニットに接続し、ビデオカメラの捕捉映像を表示し、
前記の構成要素を組み合わせることにより、ビデオカメラは３６０度角にて車体周辺および前・後部の映像を捕捉し、モニターディスプレイに表示させ、運転者の確認に備え、表示の映像に移動体を存在するとき、動的オブジェクト追跡ユニットにより、フレーム状標識を該移動体につけた上、その移動に追随し、運転者の注意を喚起することを特徴とする車両ビデオ監視制御装置。
【請求項２】
請求項１記載の車両ビデオ監視制御装置において、該ビデオカメラは車両両側に備えるバックミラーの下端に設けることを特徴とする車両ビデオ監視制御装置。
【請求項３】
請求項１記載の車両ビデオ監視制御装置において、該ビデオカメラは車両の前・後部に設けることを特徴とする車両ビデオ監視制御装置。
【考案の詳細な説明】
【技術分野】
【０００１】
本考案は一種の車両ビデオ監視制御装置、特に、一種の車両周辺映像を監視するほか、移動体に追随し、車両走行と後進運転の安全性を向上する監視制御装置に関わるものである。
【背景技術】
【０００２】
通常、車両は車体の前部座席の両側にバックミラーをそれぞれに設け、運転者の車走行運転または後進運転のとき、車両後部両側の状況を監視する。
【０００３】
しかしながら、公知技術のバックミラーは死角が存在するため、視野を不足している。さらに、後進運転のとき、運転者が頭を後側に振れ、車体後部を確認することは不便のほか安全性を欠ける。このため、車両の後進運転は、不注意により移動体に衝突することがしばしば見受ける。そのうち、一部車両の後部にビデオカメラを設け、運転席からモニターディスプレイを介して、車両後部の状況を監視できる。しかし、これらのビデオカメラの視野角度に制限があるため、捕捉した移動体が移動しても、特に警報を出さない。よって、安全性による監視制御ができない。
【考案の開示】
【考案が解決しようとする課題】
【０００４】
車両の走行運転、後進運転のとき、車両周辺映像を監視するほか、移動体の映像に追随し、車両走行の安全を図る、一種の車両ビデオ監視制御装置を提供することを本考案の主な目的とする。
【０００５】
前記の監視制御装置は、一つまたは以上のビデオカメラ、デジタル映像処理ユニット、および該デジタル映像処理ユニットに接続するモニターディスプレイより構成する。ビデオカメラは車体両側に備えるバックミラー内側内部の下縁、車体前・後端に取付けて、ビデオカメラより車体回りの映像を捕捉し、デジタル映像処理ユニットにより３６０度で捕捉した映像を解像処理した後、平面映像をモニターディスプレイに表示して、運転者の監視に備えることにより、車両の走行運転、後進運転の安全性を向上する。
【０００６】
前記の監視制御装置に備えるデジタル映像処理ユニットはさらに、動的オブジェクト追跡ユニットを設け、捕捉した映像に移動体が存在するとき、該移動体の外縁にフレームをつけて標識し、このフレーム標識により該移動体に追随させ、運転者の注意を促すことを図る。
【０００７】
前記の監視制御装置のビデオカメラの捕捉角度は３６０度角のため、より幅広い映像を捕捉できる。
【課題を解決するための手段】
【０００８】
請求項１の考案は、ビデオカメラ、デジタル映像処理ユニット、モニターディスプレイを具え、
ビデオカメラを車体外部に延ばした適切場所に設け、車体の周辺および前・後部の映像捕捉に備え、
デジタル映像処理ユニットは前記のビデオカメラに接続し、解像ユニットにより３６０度の捕捉映像を解像処理した上、平面映像をモニターディスプレイに表示させ、動的オブジェクト追跡ユニットを設け、
モニターディスプレイをデジタル映像処理ユニットに接続し、ビデオカメラの捕捉映像を表示し、
前記の構成要素を組み合わせることにより、ビデオカメラは３６０度角にて車体周辺および前・後部の映像を捕捉し、モニターディスプレイに表示させ、運転者の確認に備え、表示の映像に移動体を存在するとき、動的オブジェクト追跡ユニットにより、フレーム状標識を該移動体につけた上、その移動に追随し、運転者の注意を喚起することを特徴とする車両ビデオ監視制御装置としている。
請求項２の考案は、請求項１記載の車両ビデオ監視制御装置において、該ビデオカメラは車両両側に備えるバックミラーの下端に設けることを特徴とする車両ビデオ監視制御装置としている。
請求項３の考案は、請求項１記載の車両ビデオ監視制御装置において、該ビデオカメラは車両の前・後部に設けることを特徴とする車両ビデオ監視制御装置としている。
【考案の効果】
【０００９】
本考案は車体外部に延ばした適切場所に設けるビデオカメラは、映像処理ユニットおよびモニターディスプレイと併せて、車両走行、後進運転のとき、周辺映像を監視することにより、車走行運転の安全性を向上できる実用的な設計である。
【考案を実施するための最良の形態】
【００１０】
図１、図２、図３を併せて参照する。本考案は主に、一つ以上のビデオカメラ１、デジタル映像処理ユニット２、および該デジタル映像処理ユニット２に接続し、運転席の手前に設けるモニターディスプレイ３より構成する。そのうち、ビデオカメラ１は車両４の車体両側に備えるバックミラー４１に取り付ける。好ましい実施例において、ビデオカメラ１はバックミラー４１内側の下端に設け、車両４周辺および後部の３６０度映像を捕捉する。
【００１１】
ビデオカメラ１はアナログ／デジタル変換ユニット２１に接続した上、デジタル映像処理ユニット２に接続する。該デジタル映像処理ユニット２により、モニターディスプレイ３に接続する。該デジタル映像処理ユニット２はさらに、動的オブジェクト追跡ユニット２２および解像ユニット２３を設け、解像ユニット２３により、３６０度の捕捉映像を解像処理した上、平面映像をモニターディスプレイ３に表示するほか、該動的オブジェクト追跡ユニット２２によりフレーム標識を生成する。モニターディスプレイ３の映像に移動体が存在するとき、移動体の外縁をフレーム状の標識によりロックしておく、この機能は設定スイッチ２４より行う。
【００１２】
前記の構成要素を組み合わせることにより、ビデオカメラ１は３６０度で捕捉した車両周辺および後部の３６０度映像を解像処理した上、平面映像をモニターディスプレイ３(３６０度の捕捉映像をそのままモニターディスプレイに表示したとき、その映像にゆがみを生じて、確認できなくなる。)に表示し、公知技術のバックミラーの機能に取り代わることができるほか、車走行運転の安全性を向上できる。
【００１３】
図４、図５を併せて参照する。本考案は使用するとき、バックミラー４１に備えるビデオカメラ１により、３６０度の車両４周辺および後部映像を捕捉し、モニターディスプレイ３に表示させ、運転者の確認に備える。本考案により、公知技術のバックミラーに取り代わるほか、運転者は運転により専念することができる、さらに、動的オブジェクト追跡ユニット２２により、モニターディスプレイ３に表示された映像が移動体あるとき、フレームにより該移動体を標識５およびその移動を追随し、運転者の注意を喚起し、車後進運転の安全性を向上する。
【００１４】
引き続きに図６を参照する。本考案によるビデオカメラ１は車両４の車体前・後部に設け、前・後部の映像を捕捉し、衝突防止および後進運転の監視に備える。車両を後進運転のときも同じく動的オブジェクト追跡ユニット２２により、移動体にフレーム状標識をつけて、車走行運転の安全性目的を向上する。
【図面の簡単な説明】
【００１５】
【図１】本考案の立体図である。
【図２】本考案をバックミラーに組み立てた立体図である。
【図３】本考案による電気回路のブロック図である。
【図４】本考案による映像捕捉の実施態様図である。
【図５】本考案による動的追跡の実施態様図である。
【図６】本考案もう一つの組み立て実施例の態様図である。
【符号の説明】
【００１６】
１  ビデオカメラ
２  画像処理ユニット
２１  アナログ/デジタル変換ユニット
２４  設定スイッチ
３  モニターディスプレイ
４  車両
４１  バックミラー
５  フレーム標識
２２  動的オブジェクト追跡ユニット
２３  解像ユニット
【図１】
0003125259.tif 000003
【図２】
0003125259.tif 000004
【図３】
0003125259.tif 000005
【図４】
0003125259.tif 000006
【図５】
0003125259.tif 000007
【図６】
0003125259.tif 000008